(57)【要約】【目的】エンジンにおいて、動弁系に潤滑油を供給する流路である動弁系供給流路と、クランク軸系に潤滑油を供給する流路であるクランク軸系供給流路とを備えた潤滑油供給回路において、昇温を効率良く行うことができるエンジンの潤滑油供給装置とすること。【構成】動弁系供給流路Ｂとクランク軸系供給流路Ａの分岐部９１と、分岐部９１の下流側で且つクランク軸系供給流路Ａ側に配置される流路切替バルブ１と、クランク軸系供給流路Ａのクランク軸系に油を供給する油供給流路部３と、エンジンの冷却水系を流れる冷却水と潤滑油との間で熱交換を行う熱交換流路部２とからなり、流路切替バルブ１は、油供給流路部３と熱交換流路部２にそれぞれ連通すると共に熱交換流路部２と油供給流路部３とは連通し、流路切替バルブ１は所定の油温によって油供給流路部側３又は熱交換流路部２側のいずれか一方に切替可能としたこと。【選択図】図１
2014177923.tif 000002
【特許請求の範囲】
【請求項１】
エンジンの動弁系供給流路とクランク軸系供給流路に油を送る前記エンジンの潤滑油供給回路において、前記動弁系供給流路と前記クランク軸系供給流路の分岐部と、該分岐部の下流側で且つ前記クランク軸系供給流路側に配置される流路切替バルブと、前記クランク軸系供給流路のクランク軸系に油を供給する油供給流路部と、前記エンジンの冷却水系を流れる冷却水と潤滑油との間で熱交換を行う熱交換流路部とからなり、前記流路切替バルブは、前記油供給流路部と前記熱交換流路部にそれぞれ連通すると共に該熱交換流路部と前記油供給流路部とは連通し、前記流路切替バルブは所定の油温によって前記油供給流路部側又は前記熱交換流路部側のいずれか一方に切替可能としたことを特徴とするエンジンの潤滑油供給装置。
【請求項２】
請求項１において、潤滑油が前記流路切替バルブから前記熱交換流路部を介さずに前記クランク軸系供給流路に流入する場合の潤滑油の流量よりも、前記熱交換流路部を介して前記クランク軸系供給流路に流入する場合の流量の方が少なくなるように前記流路切替バルブを制御してなることを特徴とするエンジンの潤滑油供給装置。
【請求項３】
請求項１又は２において、前記流路切替バルブは、油温度検出手段を具備した機械式制御バルブとしてなることを特徴とするエンジンの潤滑油供給装置。
【請求項４】
請求項３において、前記油温度検出手段はサーモワックスとしてなることを特徴とするエンジンの潤滑油供給装置。
【請求項５】
請求項１又は２において、前記流路切替バルブは、温度センサーを含む油温度検出手段からの信号に基づいて動作制御される電子制御バルブとしてなることを特徴とするエンジンの潤滑油供給装置。
【発明の詳細な説明】
【技術分野】
【０００１】
本発明は、エンジンにおいて、動弁系に潤滑油を供給する流路である動弁系供給流路と、クランク軸系に潤滑油を供給する流路であるクランク軸系供給流路とを備えた潤滑油供給回路において、特にクランク軸系の昇温を効率良く行うことができるエンジンの潤滑油供給装置に関する。
【背景技術】
【０００２】
従来、エンジンの潤滑油供給回路は、一般的に動弁系供給流路とクランク軸系供給流路に分かれ、それぞれに潤滑油を供給する構成としたものが多く存在する。この中で、エンジンの始動直後等の油温が低く粘性の高い状態において、油温の上昇を早めようとするものが存在する。この種のものとして、特許文献１が存在する。
【０００３】
まず、その構成を概略すると、潤滑油を貯留する潤滑油貯留部と、潤滑油を流通させる潤滑油流路と、潤滑油を汲み上げて圧送する潤滑油供給手段と、冷却水と潤滑油との熱交換を行う熱交換部と、潤滑油供給手段と熱交換部との間の潤滑油流路から分岐するバイパス流路と、潤滑油流路とバイパス流路との分岐部に設けられ、潤滑油の油温が所定の閾値以下の場合は潤滑油をバイパス流路に流通させるとともに、潤滑油の油温が所定の閾値よりも高い場合は潤滑油を熱交換部に流通させる流路切替手段とを備えたものである。そして、流路切替手段は、潤滑油の油温が所定の閾値以下であっても、内燃機関の暖機中は潤滑油を熱交換部に流通させるようにしたものである。
【先行技術文献】
【特許文献】
【０００４】
【特許文献１】特開２０１２―１３２３７７号公報
【発明の概要】
【発明が解決しようとする課題】
【０００５】
特許文献１では、潤滑油の油温が所定の閾値以下であっても、内燃機関の暖機中は潤滑油を熱交換部に流通させるようにしたものである。すなわち、暖機中、潤滑油はバイパス流路を流れず、潤滑油の全量が熱交換部に流れることになる。
【０００６】
このような構成としているので、特許文献１では、全体に亘って送り込む潤滑油を暖めることになるため、油温の上昇が遅くなるという課題があった。また潤滑油の粘性の影響（摺動抵抗の大小）は動弁系よりもクランク軸系の方が大きい。全体に亘って送り込む潤滑油を暖めるため、安定した適正な粘性を有する潤滑油が必要箇所であるクランク軸系供給流路に流れるまでには、相当の時間がかかってしまうことになる。
【０００７】
さらに、全潤滑油の油温の上昇を早めようとすれば熱交換部の装置等を大型化することになり、そのために、冷却水をより多く熱交換部に流し込まなければならなくなる。これにより、ウォータポンプ、オイルポンプ、熱交換部等の関連機器も大型化することになり、重量増加、ポンプ駆動損失の増加につながる。
【０００８】
さらに、全潤滑油の油温を上昇させる、その熱を潤滑油に伝達した冷却水の水温は、その分だけ低くなることになる。そうなるとエンジン内を循環する冷却水の水温が低くなり、エンジンの燃焼室の壁温が下がることにより、ピストンの摺動抵抗が増加する。その結果としてエンジンのフリクション（トルク）低減効果が小さくなる恐れがある。
【０００９】
そこで、本発明の目的（解決しようとする技術的課題）は、エンジンの潤滑油供給回路において、クランク軸系に供給される潤滑油の油温を優先的に効率良く上昇させることの実現にある。
【課題を解決するための手段】
【００１０】
そこで、発明者は、上記課題を解決すべく、鋭意，研究を重ねた結果、請求項１の発明を、エンジンの動弁系供給流路とクランク軸系供給流路に油を送る前記エンジンの潤滑油供給回路において、前記動弁系供給流路と前記クランク軸系供給流路の分岐部と、該分岐部の下流側で且つ前記クランク軸系供給流路側に配置される流路切替バルブと、前記クランク軸系供給流路のクランク軸系に油を供給する油供給流路部と、前記エンジンの冷却水系を流れる冷却水と潤滑油との間で熱交換を行う熱交換流路部とからなり、前記流路切替バルブは、前記油供給流路部と前記熱交換流路部にそれぞれ連通すると共に該熱交換流路部と前記油供給流路部とは連通し、前記流路切替バルブは所定の油温によって前記油供給流路部側又は前記熱交換流路部側のいずれか一方に切替可能としてなるエンジンの潤滑油供給装置としたことにより、上記課題を解決した。
【００１１】
請求項２の発明を、請求項１において、潤滑油が前記流路切替バルブから前記熱交換流路部を介さずに前記クランク軸系供給流路に流入する場合の潤滑油の流量よりも、前記熱交換流路部を介して前記クランク軸系供給流路に流入する場合の流量の方が少なくなるように前記流路切替バルブを制御してなるエンジンの潤滑油供給装置としたことにより、上記課題を解決した。
【００１２】
請求項３の発明を、請求項１又は２において、前記流路切替バルブは、油温度検出手段を具備した機械式制御バルブとしてなるエンジンの潤滑油供給装置としたことにより、上記課題を解決した。請求項４の発明を、請求項３において、前記油温度検出手段はサーモワックスとしてなるエンジンの潤滑油供給装置としたことにより、上記課題を解決した。
【００１３】
請求項５の発明を、請求項１又は２において、前記流路切替バルブは、温度センサーを含む油温度検出手段からの信号に基づいて動作制御される電子制御バルブとしてなるエンジンの潤滑油供給装置としたことにより、上記課題を解決した。
【発明の効果】
【００１４】
請求項１の発明では、潤滑油の粘性の影響が大きいクランク軸系の油温の上昇を早めることができるので、暖機の早期段階からエンジンのフリクションを下げることができる。
【００１５】
そこで、本発明では、供給する潤滑油のみを加温するため、冷却水が有する熱によって、効率よく潤滑油の油温上昇に使用することができると共に、冷却水の水温低下を最小限に抑えることができる。また、潤滑油の流れの支流の一部に熱交換流路部が設置されるため、熱交換流路部と共に、熱交換器等を小型なものにすることができる。
【００１６】
本発明は、クランク軸系供給流路の範囲内において、流路切替バルブを備え、クランク軸系供給流路内に流れる潤滑油のみが熱交換流路部に流れる構成としたり、或いは油供給流路部のみに直接流れるようにしたものである。したがって、クランク軸系供給流路の範囲内に流れる潤滑油のみの油温の温度制御が行われればよいので、熱交換流路部に具備された熱交換器に必要とする熱エネルギーも少ないものでよい。
【００１７】
そのために、ウォータポンプ、オイルポンプ、熱交換器等の関連機器は小型なもので済み、重量増も最小限にできる。以上によって、無駄仕事も最小限に抑えることができる。さらに、クランク軸系供給流路からクランク軸系摺動部へ供給する潤滑油の量を必要最小限に設定することにより、クランク軸系摺動部へ供給される潤滑油の加温効果も大きく出来る。
【００１８】
請求項２の発明では、潤滑油が流路切替バルブから熱交換流路部を介さずにクランク軸系供給流路に流入する場合の潤滑油の流量よりも、熱交換流路部を介してクランク軸系供給流路に流入する場合の流量の方を少なくすることで、潤滑油の流量が少ない方が熱交換流路部を通過する潤滑油の温度上昇量をより一層大きくできる。これにより潤滑油の粘性の影響が大きいクランク軸系の油温の上昇をより一層早めることができる。
【００１９】
請求項３の発明では、流路切替バルブは、油温度検出手段を具備した機械式制御バルブとしたことにより、クランク軸系供給流路の構成を簡単にすることができる。請求項４の発明では、前記油温度検出手段をサーモワックスとしたことにより、極めて簡単な構成でありながら、潤滑油の油路の制御を確実且つ安価に行うものにすることができる。
【００２０】
請求項５の発明では、前記流路切替バルブは、温度センサーを含む油温度検出手段からの信号に基づいて動作制御される電子制御バルブとしたことにより、油温に対する流路の切替えを精度良く制御でき、また冷却水温センサーによる冷却水温の値などから油温を推定すれば油温センサーを配置しないこともできる。
【図面の簡単な説明】
【００２１】
【図１】本発明における潤滑油供給回路の構成図である。
【図２】（Ａ）はエンジンの始動直後の低回転且つ低油温における潤滑油供給動作を示す構成図、（Ｂ）はエンジンの始動直後から一定時間経過後の高回転又は高油温における潤滑油供給動作を示す構成図である。
【図３】（Ａ）は流路切替バルブを機械式制御バルブとした実施形態で低回転且つ低油温における潤滑油供給動作を示す構成図、（Ｂ）は低回転且つ高油温における潤滑油供給動作を示す構成図である、（Ｃ）は高回転且つ低油温における潤滑油供給動作を示す構成図、（Ｄ）は機械式制御バルブの一部断面にした側面拡大図である。
【図４】（Ａ）は流路切替バルブを電子制御バルブとした実施形態で低回転且つ低油温における潤滑油供給動作を示す構成図、（Ｂ）は高回転又は高油温における潤滑油供給動作を示す構成図である。
【図５】（Ａ）は本発明の第２実施形態においてエンジンの始動直後の低回転且つ低油温における潤滑油供給動作を示す構成図、（Ｂ）はエンジンの始動直後から一定時間経過後の高回転又は高油温における潤滑油供給動作を示す構成図である。
【発明を実施するための形態】
【００２２】
以下、本発明の実施形態を図面に基づいて説明する。本発明は、エンジンのクランク軸系供給流路Ａと、動弁系供給流路Ｂとからなり、これらに油を送るエンジンオイルの潤滑油供給回路におけるクランク軸系供給流路Ａの油温の制御に関するものである。前記クランク軸系供給流路Ａと動弁系供給流路Ｂとは、共通流路９から分岐部９１を介して分岐して構成されている（図１参照）。
【００２３】
前記共通流路９は、オイルパン１００に連結され、オイルポンプ１０１，フィルタ１０２が備わっている。また、前記共通流路９には、圧力制御弁１０３が装着されている（図１参照）。
【００２４】
前記クランク軸系供給流路Ａは、前記分岐部９１の下流側に位置している。そして、分岐部９１からクランク軸系供給流路Ａに向かう第１分岐流路９ａの下流側で且つクランク軸系供給流路Ａ側に流路切替バルブ１が配置されている（図１参照）。クランク軸系供給流路Ａは、流路切替バルブ１と、熱交換流路部２と、油供給流路部３と、それぞれの部位同士を連通するように連結する第１連通流路４１，第２連通流路４２，第３連通流路４３とから構成される（図１，図２参照）。
【００２５】
前記流路切替バルブ１は、油温を検出して流路の切替を行う油温度検出手段１２が備わっている。そして、後述する機械式制御バルブ１Ａ又は電子制御バルブ１Ｂが使用される。流路切替バルブ１は、流入口１ａ，第１切替口１ｂ，第２切替口１ｃを有している。そして、前記流入口１ａは、分岐部９１からクランク軸系供給流路Ａに潤滑油を送る第１分岐流路９ａと連通している（図１参照）。
【００２６】
前記流路切替バルブ１の第１切替口１ｂは、第１連通流路４１を介して熱交換流路部２と連通し、第２切替口１ｃは第２連通流路４２を介して油供給流路部３と連通する（図１，図３参照）。また、熱交換流路部２と油供給流路部３とは第３連通流路４３とによって連通している。ここで、熱交換流路部２は、第１連通口２ａと第２連通口２ｂとが設けられている。また、同様に油供給流路部３にも第１連通口３ａと第２連通口３ｂとが備わっている。
【００２７】
そして、前記流路切替バルブ１の第１連通流路４１と熱交換流路部２の第１連通口２ａとが第１連通流路４１によって連通され、熱交換流路部２の第２連通口２ｂと油供給流路部３の第２連通口３ｂとが第３連通流路４３で連通され、油供給流路部３の第１連通口３ａと流路切替バルブ１の第２切替口１ｃとが連通される構成となる。
【００２８】
つまり、前記流路切替バルブ１と、前記第１連通流路４１と、熱交換流路部２と、第３連通流路４３と、油供給流路部３とによって略環状となるように連通される（図１，図２参照）。
【００２９】
前記熱交換流路部２は、熱交換器５の一部として構成されている。該熱交換器５は、熱交換流路部２を流れる潤滑油の油温を上昇させる役目をなす。熱交換器５はチューブ方式、プレート方式などにより構成され、冷却水により、潤滑油を温めようとするものである。このように、前記熱交換器５と前記熱交換流路部２とによって熱交換部が構成される。
【００３０】
一般的に、エンジンの冷機始動直後は、冷却水の温度の方が潤滑油の温度よりも高いため、熱交換器５の内部では、冷却水から潤滑油へ熱が移動し、油温が上昇することになる。また、前記油供給流路部３には、クランク軸系部６に油を送り出す供給流路３ｆが備わっている。
【００３１】
前記クランク軸系部６は、クランク軸やクランクピン及びこれを支持する部品等であり、具体的には、クランク軸やクランクピンの滑り軸受等に油供給流路部３から供給流路３ｆを介して潤滑油が常時送り込まれるようになっている。
【００３２】
次に、本発明におけるクランク軸系供給流路Ａの潤滑油の温度による流路切替制御を説明する。図２（Ａ）はエンジンが低回転で潤滑油が低油温の場合であり、図２（Ｂ）はエンジンが高回転又は潤滑油が高油温の場合である。潤滑油が低温の場合では、潤滑油の粘性が高くなっている。
【００３３】
流路切替バルブ１は、油温度検出手段１２によって、潤滑油が低油温であることを検知し、第１切替口１ｂを開いて第１連通流路４１，熱交換流路部２，第３連通流路４３，油供給流路部３の順番で流れる潤滑油供給回路を構成する。このとき、流路切替バルブ１の第２切替口１ｃは、閉じて、第２連通流路４２は連通が阻害され、該第２連通流路４２に潤滑油は流れ込まない状態である〔図２（Ａ）参照〕。
【００３４】
この潤滑油供給回路においては、潤滑油が熱交換流路部２を通過するときに、潤滑油よりも温度が高い冷却水から熱を受け取ることで、油温が上昇し、粘性が低くなった潤滑油が油供給流路部３に送り込まれ、該油供給流路部３から供給流路３ｆを介してクランク軸系部６に潤滑油を送り込まれることになる。
【００３５】
次に、エンジン始動から一定の時間が過ぎて、共通流路９，分岐部９１及び第１分岐流路９ａを流れる潤滑油の温度が高くなった状態における制御について説明する。まず、流路切替バルブ１の第１切替口１ｂが閉じて、第２切替口１ｃが開いたことにより、第２連通流路４２，油供給流路部３の順番となる方向で潤滑油が流れる。
【００３６】
このとき、第１切替口１ｂは閉鎖され、第１連通流路４１から熱交換流路部２の方向への潤滑油の流れは無くなる。したがって、高温の潤滑油は、流路切替バルブ１から熱交換流路部２を介さずに、油供給流路部３に送り込まれ、供給流路３ｆを介してクランク軸系部６に潤滑油は送り込まれる。これにより熱交換器５による抵抗が無いのでエンジンが高負荷状態においても、クランク軸系部６の摺動部の十分な潤滑が可能となる〔図２（Ｂ）参照〕。
【００３７】
このようにして、本発明では、クランク軸系供給流路Ａの範囲内のみで、低い油温及び高い油温における潤滑油供給回路の制御を行うものである。そのために、クランク軸系供給流路Ａに向かう第１分岐流路９ａに流路切替バルブ１を備え、クランク軸系供給流路Ａ内に流れる潤滑油のみが熱交換流路部２に流れる構成としたり、或いは油供給流路部３のみに直接流れるようにしたものである。
【００３８】
したがって、潤滑油の温度が低い状態において、冷却水との熱交換によって油温を上昇させようとした場合、エンジンに供給される全ての潤滑油を加温しようとした場合に対して、必要とする熱エネルギーが少なくて済むといった利点がある。
【００３９】
つぎに、流路切替バルブ１の実施形態について説明する。流路切替バルブ１は、機械式制御バルブ１Ａと電子制御バルブ１Ｂという２つの実施形態が存在し、いずれか一方が使用される。その第１実施形態の機械式制御バルブ１Ａは、油温度検出手段１２を有している。該油温度検出手段１２は、潤滑油の温度を検出し、その油温に応じて、弁ケース１４内にて弁体１１を移動させて、流路を切り替える役目をなすものである。
【００４０】
その第２実施形態の電子制御バルブ１Ｂは、潤滑油供給回路内の図示されない油温センサーによって計測される油温、又は冷却水回路内の図示されない水温センサーによって計測される水温を基に推定される油温を基にして、図示されない電子制御装置が決定する弁体位置になるように弁体１１を制御し、流路を切り替える役目をなすものである。
【００４１】
まず、流路切替バルブ１の第１実施形態である機械式制御バルブ１Ａとしたものについて説明する。弁ケース１４には、弁室１４ａが形成され、該弁室１４ａに弁体１１が収納される。弁ケース１４には、前述した流入口１ａ，第１切替口１ｂ及び第２切替口１ｃが形成されている（図３参照）。
【００４２】
弁体１１は、第１大径部１１ａ，第２大径部１１ｂ及び小径部１１ｄからなり、第１大径部１１ａと第２大径部１１ｂとが適宜の間隔をおいて小径部１１ｄにて連結されている〔図３（Ｃ）参照〕。第１大径部１１ａと第２大径部１１ｂとの間に位置する小径部１１ｄの周囲には、空隙部が構成されることになる。また、第１大径部１１ａには、小孔形状の貫通流路１１ｅが形成されている。
【００４３】
また、弁体１１には、油温度検出手段１２が備わっている。該油温度検出手段１２は、ピストン１２ａを有しており、油温度検出手段１２が油温を検出し、所定の油温以上で前記ピストン１２ａが前記弁体１１の先端から突出するようになっている〔図３（Ｃ）参照〕。また、前記ピストン１２ａの突出側とは反対側の端部と弁ケース１４内の弁室１４ａの壁面との間にはバネ１３が装着されている〔図３（Ａ），（Ｂ）参照〕。
【００４４】
弁体１１は、弁室１４ａ内で、その先端側はピストン１２ａが弁室１４ａの一方の内壁に当接し、後端側はバネ１３が配置され、該バネ１３によって、前記ピストン１２ａの先端は弁室１４ａの内壁に当接した状態に保持される〔図３（Ａ），（Ｂ）参照〕。
【００４５】
前記油温度検出手段１２は、具体的にはサーモワックスが使用されている。サーモワックスは、弁体１１内部において、油温によって体積が膨張又は収縮する物質が備わっており、その膨張，収縮によって、ピストン１２ａが弁体１１の先端から突出入することができる〔図３（Ｄ）参照〕。
【００４６】
次に、機械式制御バルブ１Ａの動作について説明する。まず、エンジンが低回転で潤滑油が低油温の状態〔図３（Ａ）参照〕において、その初期状態では、弁体１１の第１大径部１１ａの位置は第１切替口１ｂよりも流入口１ａ側に位置している。流入口１ａから流入した潤滑油は、低油温で高い粘性を有している。
【００４７】
潤滑油は、第１大径部１１ａの貫通流路１１ｅを通過して第１切替口１ｂから第１連通流路４１に潤滑油を送り出す。そして、前述したように、熱交換流路部２，第３連通流路４３，油供給流路部３を通過してクランク軸系部６の潤滑を行う。
【００４８】
次に、エンジンが低回転で潤滑油が高油温となった場合〔図３（Ｂ）参照〕においては、油温度検出手段１２が潤滑油の温度が高いことを検知し、ピストン１２ａが弁体１１の先端から突出する。ピストン１２ａの突出によって、弁体１１は、バネ１３の弾性力に抗してバネ１３側に移動する。
【００４９】
これによって、第１大径部１１ａは、第１切替口１ｂを閉鎖し、第２大径部１１ｂは第２切替口１ｃを開く。上記動作により、潤滑油は、第２切替口１ｃから第２連通流路４２を介して油供給流路部３に流入し、クランク軸系部６の潤滑を行う。また、エンジンが高回転で潤滑油が低油温の場合〔図３（Ｃ）参照〕においては、オイルポンプ１０１がエンジン回転数に追従して高回転で作動することにより、共通流路９及び第１分岐流路９ａ内の油圧が高くなり、この高い油圧が第１大径部１１ａの流入口１ａ側の端面に作用することにより、弁体１１がバネ１３の弾性力に抗してバネ１３側に移動する。
【００５０】
これによっても、第１大径部１１ａは、第１切替口１ｂを閉鎖し、第２大径部１１ｂは第２切替口１ｃを開く。上記動作により、潤滑油は、第２切替口１ｃから第２連通流路４２を介して油供給流路部３に流入し、クランク軸系部６の潤滑を行う点については同じである。
【００５１】
次に、流路切替バルブ１を電子制御バルブ１Ｂとした実施形態について説明する。〔図４参照〕弁ケース１４及び弁体１１については、前述した機械式制御バルブ１Ａと略同様であり、主に機械式制御バルブ１Ａと異なる部分を中心にして説明する。弁体１１は、第１大径部１１ａ，第２大径部１１ｂ及び小径部１１ｄからなる。第１大径部１１ａには、小孔形状の貫通流路１１ｅが形成されている。
【００５２】
弁駆動部１２ｂは、前記弁ケース１４の弁室１４ａの内壁に固定されている。つまり、弁体１１は、弁駆動部１２ｂによって、弁室１４ａ内を摺動自在となるように支持されている。
【００５３】
エンジンが低回転で潤滑油が低油温の状態〔図４（Ａ）参照〕においては、図示しない油温度検出手段からの信号により、電子制御装置は油温が所定の温度より低いと判断した場合は、弁駆動部１２ｂへ通電し、第１切替口１ｂを開いた状態で保持する。一方、エンジンが高回転又は潤滑油が高油温の状態〔図４（Ｂ）参照〕においては、弁駆動部１２ｂへの通電は行わず、第２切替口１ｃを開いた状態に保持する。
【００５４】
図５は、本発明の第２実施形態である。この実施形態では、前記流路切替バルブ１の第１切替口１ｂと、第１連通流路４１と、前記熱交換流路部２、第３連通流路４３と、油供給流路部３とを連通させる。また、流路切替バルブ１の第２切替口１ｃと、前記第３連通流路４３とを連通する。
【００５５】
この実施形態では、第１実施形態とは異なり、第２連通流路４２が、第３連通流路４３と連通する。この第２実施形態では、油供給流路部３は第１連通口３ａのみで構成され、油供給流路部３を簡単な構造にできる。
【符号の説明】
【００５６】
Ａ…クランク軸系供給流路、Ｂ…動弁系供給流路、１Ａ…機械式制御バルブ、
１Ｂ…電子制御バルブ、１…流路切替バルブ、１２…油温度検出手段、
２…熱交換流路部、３…油供給流路部と、９１…分岐部。
【図１】
2014177923.tif 000003
【図２】
2014177923.tif 000004
【図３】
2014177923.tif 000005
【図４】
2014177923.tif 000006
【図５】
2014177923.tif 000007